(57)【要約】  本方法は、製造される蜂の巣に対してシリコンコアを固定するストリップの異なる分離方式を含んでおり、蜂の巣の１つの表面に対応する１つのストリップの彎曲のみによる方式、及び、シリコンコアを固定する他のストリップにおける、パルス磁場の漸進的な操作による方式により、徐々に蜂の巣を分離し、蜂の巣の壁の破壊を防止する。分離される弾性コアを運ぶストリップに作用して、パルス状の磁場を作り出す電磁石と並んで装備される装置の中で、ストリップは徐々に蜂の巣から分離される。
2010523080.tif 000002
【特許請求の範囲】
【請求項１】
養蜂用の蜂の巣の製造方法であって、上記蜂の巣が２つの連続するバンドの組立品に液体ワックスを供給することで製作され、上記２つのバンドは弾力性のあるシリコンコアを上記バンドの間に間隔をあけて抱えており、上記シリコンコアは蜂の巣のセル及び壁を形成しており、上記２つのバンドは蜂の巣の冷却後に最終的に切断されるものにおいて、
上記シリコンコアを抱える上記２つのバンドは、異なる方法で上記製造された蜂の巣から分離され、上記蜂の巣の１つの面に対応する上記２つのバンドの内の一方は、単なる彎曲により分離され、上記２つのバンドの内の上記シリコンコアを抱えた他方は、パルス状の磁場の作用を加えられて、蜂の巣から徐々に分離し、蜂の巣の壁の破壊を防止する
ことを特徴とする方法。
【請求項２】
上記パルス状の磁場による上記バンドの上記分離は、上記蜂の巣の反対側の面に対応する上記一方のバンドが分離した後に行われることを特徴とする、請求項１に記載の方法。
【請求項３】
上記パルス状の磁場を受ける上記バンドは、上記蜂の巣の上部のバンドであって、下部のバンドと同時に進行する領域の、後段の進行領域に位置するバンドであることを特徴とする、請求項１に記載の方法。
【請求項４】
養蜂用の蜂の巣の製造のための装置であって、該装置は、分離されるべき弾力性のあるコアを抱えた上記バンドに作用して、パルス状の磁場の効力を加え、上記蜂の巣から上記バンドを徐々に分離させる、電磁石の配列を備えることを特徴とする装置。
【請求項５】
上記電磁石の組み立て品は、それぞれ中央のコアと、２つの側面サポートとを有し、上記中央のコアは、上記磁場の上記効力により、上記バンドが水平方向から曲がることを許容するために、上記２つの側面よりも上記バンドに対してわずかに離れていることを特徴とする、請求項４に記載の養蜂用の蜂の巣の製造のための装置。
【請求項６】
上記弾力性のあるバンドは、上記磁石の反対側の面に積層された金属ストリップを装備し、上記磁場の上記作用を促進するために、シリコンコアのかたまりの中に鉄粉が埋め込まれていることを特徴とする、請求項４に記載の養蜂用の蜂の巣の製造のための装置。
【発明の詳細な説明】
【技術分野】
【０００１】
本発明は、従来技術に対して重要な改良をもたらす養蜂用の蜂の巣の製造方法及びその関連装置を開示するものである。
【背景技術】
【０００２】
本願の出願人は、以前から養蜂用蜂の巣の製造に関するいくつかの発明をおこなっているが、それらの発明は、蜜蜂が彼ら自身の巣を準備する段階において、積層型のバンドで形成された適切な鋳型、あるいはコア形状をした弾力性のある材料のバンドに導入された液体ワックスによって蜂の巣が製造されるという機械的、工業的方法で、蜜蜂の自然な働きを援助する目的でなされている。上記バンドは閉じた回路を形成してローラ上を移動し、連続的な態様で、装置の一端でワックスが注入され、液体ワックスが積層型の要素のコアの間に導入されるため蜂の巣が形成され、上記蜂の巣は装置の出口に到着するまでに徐々に冷やされ、分離され、切断されて、蜜蜂の巣箱を満たすのに役立つ人工の蜂の巣の要素が得られる。この技術は発明者が特許文献１、特許文献２及び特許文献３で開示したものである。
【先行技術文献】
【特許文献】
【０００３】
【特許文献１】スペイン国特許第９６０００１９号
【特許文献２】スペイン国特許第９７０１５６４号
【特許文献３】スペイン国追加特許第９８０１１５６号
【発明の概要】
【発明が解決しようとする課題】
【０００４】
しかしながら、蜂の巣の壁厚を自然の蜂の巣の壁厚の値に近づけるために、大幅に薄くする試みを行う間に、巣の個室の壁の破損の問題が起こり、発明者は非常に薄い壁であるとともにその破損を防止するワックスの蜂の巣を得るために、テスト及び実験の実施を進め、その結果、本発明を達成したのである。
【課題を解決するための手段】
【０００５】
本発明は、その目的を達成するために、ワックスの養蜂用蜂の巣の製造方法を含んでおり、それは、それらがワックスの入り口地点から製造された蜂の巣が搬出される地点まで移動する間、弾力性のある鋳型を固定するバンドを制御するステップと、弾力性のあるコアを固定する２本のバンドを異なる方法で分離するステップを含んでいる。１つの方法は、下部バンドがエンドロール上で曲げるだけで自ら分離するように導く方法であって、製造された蜂の巣からそれを分離し、上部バンドについては、その搬送経路のパルス磁場の影響により分離するという、全く違う方法で分離を行う。このように、一方では、下部バンドの分離が、蜂の巣の薄い壁が破壊されることなく実施され、他方では、上部バンドの漸進的な分離がパルス磁場の効果により実施される。このように、従来許容されていた壁厚さがさらに低減されるという点とともに、壁の破壊防止が実現されるという点においても蜂の巣の製造に著しい改良がなされた。上記方法は、パルス領域の磁力の効力をより効果的にするために、装置の上部及び下部の連続的なバンドを形成する弾力性のあるコアに鉄粉を含有させるステップをも含んでいる。
【０００６】
本発明の方法を実施するための装置には、複数の連続した電磁石のセットが、上部バンドの通路の最終部分に沿って、好ましくは、それらのコアがバンドの進行方向と垂直に配置される。それぞれの電磁石のセットは一本の細長い中央コアと、これと特別な間隔で配置される２つの側面サポートを備える。２つの側面サポートは、その外面に弾力性のあるコアを抱えるバンドを有するストリップの幅に近い長さを有する。中央コアまたは電磁石がわずかに上部バンドから離れているのに対し、２つの側面サポートは上部バンドのストリップに連続的に接触して牽引動作を行い、結果的にストリップに頑丈な短い湾曲部を形成する。上記の短い、比較的頑丈な湾曲部は、弾力性のあるコアから、製造される蜂の巣を分離させるために必要とされる。なぜなら、ワックスの可撓性のために、非常になだらかな曲がりでは、弾力性のあるシリコンコアから蜂の巣のパネルは決して分離しないからである。磁場の磁力線は、側面サポートから上部バンドのストリップを通り、さらに、鉄粉入りのシリコンコアを通って中央コアに向かって流れる。上記装置は、電磁石の構成部品の冷却用の要素を備えている。
【０００７】
上記の構成をより深く理解するために、本発明の好ましい実施態様を例示的に説明する図面が添付されている。
【図面の簡単な説明】
【０００８】
【図１】本発明の方法の実施を行う装置の模式図である。
【図２】蜂の巣の下面に対応するシリコンコアを固定する金属バンドの分離を模式的に示す図である。
【図３】上部バンドの分離・抜き取りのためのパルス状の電磁石の漸進的な作用を示す模式図である。
【図４】上部バンドの分離・抜き取りのためのパルス状の電磁石の漸進的な作用を示す模式図である。
【図５】上部バンドの分離・抜き取りのためのパルス状の電磁石の漸進的な作用を示す模式図である。
【図６】図３の位置に対応したコアと蜂の巣の相対位置を示す模式図である。
【図７】図４の位置に対応したコアと蜂の巣の相対位置を示す模式図である。
【図８】図５の位置に対応したコアと蜂の巣の相対位置を示す模式図である。
【発明を実施するための形態】
【０００９】
蜂の巣の製造は、図に示されるように、出願人が先の特許で開示したように、各一対のロール３、４及び５、６に組み付けられる、シリコン等の弾性体の連続的な２本のバンド１、２を用いて行われる。上記バンドは、それぞれ図２の符号７、８で示す蜂の巣を形成するための複数のコアを有している。上記バンド１、２は、その外表面にそれぞれ金属ストリップ９、１０を有している。上記方法は、端部１３から液体ワックスを供給するステップと、連続的な蜂の巣１４を他の端部から搬出して所望の長さに切断するステップとを含んでいる。
【００１０】
本発明の方法によれば、シリコンコアの配列を構成する弾力性のあるバンドの分離は、下部のバンドと上部のバンドとで異なる方法で行われる。図２は、ストリップ１０に対応する下部の金属バンドの分離を示しており、端部ロール６による金属バンドのゆるやかな彎曲のみによって、バンドは既に製造された蜂の巣１５から徐々に分離される。しかしながら、上部のバンドの分離は、符号１６、１６’、１６”によって代表される複数の電磁石の装置を用いて行われ、これらが上部のバンド上ににパルス状の磁場を作り出し、この磁場により上部のバンドは、下部のバンドが分離した後、蜂の巣１５から徐々に分離する。図３、４、及び５は、中央の電磁石のコア１７と、各側面に１つずつの２つのサポート１８及び１９による電磁石の装置を示す。これらにより、側面サポート１８及び１９から上記側面よりわずかにストリップ９から離れているコア１７への閉じた磁界が形成され、磁力線がストリップ９自体を通って、内部にこの機能を促すための鉄粉を含んだシリコンコア７を通過する。
【００１１】
パルス状の磁場発生によって引き起こされる、短くて、比較的はっきりした形状の彎曲により、シリコンコアのバンドは新しく形成された蜂の巣から、蜂の巣の薄い壁を破壊せずに、徐々に分離される。この過程を蜂の巣の断片を示す図６、７及び８で説明する。２つの連続した壁２０、２１及びコア２２が見られるが、図６は、電磁石の効果によりバンドに彎曲が与えられたときのコア２２の細くなった状態を示す。図４の状態に対応する図７に示すように、磁場の無い状態ではコア２２は通常の形状に回復する。そして、図８に見られる後段のサイクルで最終的に分離する。図８ではコア２２は、再び細くなり、既に部分的に蜂の巣から抜き出された位置から始まって、最終的に分離されようとしている。
【００１２】
このようにして、シリコンコアを運んだバンドの分離が蜂の巣の壁を破壊することなく、能率的かつ徐々に行われる。壁の厚さは従来より低減されており、したがって、かなりの原材料が節減でき、自然の蜂の巣の厚さに大幅に接近することができる。
【００１３】
以上説明した実際的な実施例について、本発明を記載したが、添付の請求の範囲に接した当業者であれば、本発明の範囲から離れることなく多くの変形例を紹介することができることは容易に理解されるであろう。
【図１】
2010523080.tif 000003
【図２】
2010523080.tif 000004
【図３】
2010523080.tif 000005
【図４】
2010523080.tif 000006
【図５】
2010523080.tif 000007
【図６】
2010523080.tif 000008
【図７】
2010523080.tif 000009
【図８】
2010523080.tif 000010
【国際調査報告】
2010523080.tif 000011
2010523080.tif 000012
2010523080.tif 000013
2010523080.tif 000014